(57)【要約】【課題】この発明は、ＰＣＶ機構とアルコール吸着材とを組合わせることにより、システムの構成や制御を簡略化することを目的とする。【解決手段】アルコール燃料を用いるエンジン１０は、クランクケース３８内のガスを吸気通路１８に還流させるＰＣＶ通路４０と、ＰＣＶ通路４０に設けられたＰＣＶバルブ４２と、ＰＣＶバルブ４２に内蔵されたアルコール吸着材４４とを備える。アルコール吸着材４４は、周囲の圧力雰囲気に応じてアルコールを吸着，脱離させる機能を有する。これより、ＰＣＶバルブ４２を用いてアルコール吸着材４４に作用する負圧を制御し、ガス中のアルコールを吸着材４４に吸着させたり、吸着したアルコールを脱離させて筒内に供給することができる。従って、ガソリンとアルコールの噴射系統をそれぞれ個別に用意しなくてもよいので、システムの構成や制御を簡略化することができる。【選択図】図１
2011226349.tif 000002
【特許請求の範囲】
【請求項１】
筒内にアルコール燃料を噴射する筒内噴射弁と、
クランクケース内のガスを吸気通路に還流させるＰＣＶ通路と、
前記ＰＣＶ通路に設けられた流量制御弁であって、前記ＰＣＶ通路を流れるガスの量を調整するＰＣＶバルブと、
前記ＰＣＶ通路を流れるガス中のアルコールを吸着する機能と吸着したアルコールを脱離させる機能とを有する吸着材であって、周囲の圧力雰囲気に応じて機能が切換わるアルコール吸着材と、
を備えることを特徴とする内燃機関。
【請求項２】
前記ＰＣＶバルブは、前記アルコール吸着材を内蔵した吸着材一体型のバルブにより構成してなる請求項１に記載の内燃機関。
【請求項３】
前記アルコール吸着材は、加圧状態において前記ガス中のアルコールを吸着し、吸着したアルコールを減圧状態において脱離させる機能を有し、かつ、前記アルコール吸着材を前記ＰＣＶバルブの閉弁時にも前記クランクケース内のガスと接触する位置に設ける構成としてなる請求項１または２に記載の内燃機関。
【請求項４】
始動してから暖機が完了するまでの間に前記ＰＣＶバルブの開度を制限し、前記ガスの還流量を最低限に抑制する暖機前ＰＣＶ抑制手段と、
暖機が完了した状態において、前記アルコール吸着材に吸着されたアルコールを筒内に供給する必要があるか否かを、運転状態に基いて判定するアルコール要求判定手段と、
前記アルコール要求判定手段によりアルコールの供給が不要であると判定された場合に前記ＰＣＶバルブを閉弁し、アルコールの供給が必要であると判定された場合に前記ＰＣＶバルブを開弁するアルコール供給制御手段と、
を備えてなる請求項３に記載の内燃機関。
【請求項５】
前記アルコール要求判定手段は、ノッキングが発生し易い運転領域において、アルコールの供給が必要であると判定する構成としてなる請求項４に記載の内燃機関。
【請求項６】
前記アルコール供給制御手段は、前記アルコール要求判定手段によりアルコールの供給が必要であると判定された場合に、ノッキングの強度に基いて前記ＰＣＶバルブの開度を制御する構成としてなる請求項５に記載の内燃機関。
【請求項７】
前記アルコール要求判定手段は、高負荷でのアイドル運転時にアルコールの供給が必要であると判定する構成としてなる請求項４乃至６のうち何れか１項に記載の内燃機関。
【発明の詳細な説明】
【技術分野】
【０００１】
本発明は、アルコール燃料を用いる内燃機関に関し、特に、ＰＣＶ機構を備えた内燃機関に関する。
【背景技術】
【０００２】
従来技術として、例えば特許文献１（特開２００９−１３８５６９号公報）に開示されているように、アルコール燃料とガソリンからなる２種類の燃料を併用する内燃機関が知られている。従来技術の内燃機関は、これら２種類の燃料をそれぞれ貯留する２つの燃料タンクと、各燃料をそれぞれ吸気通路に噴射する２つの燃料噴射弁とを備えている。そして、内燃機関の運転時は、２つの燃料の噴射比率を運転状態に応じて可変に設定し、始動性の確保等を図るようにしている。
【０００３】
一方、他の従来技術として、特許文献２（特開２００８−２１５２１４号公報）、特許文献３（特開２００９−２５７２２２号公報）等には、クランクケース内のブローバイガスを吸気通路に還流させるＰＣＶ（Positive Crankcase Ventiration）機構を備えた内燃機関が開示されている。
【先行技術文献】
【特許文献】
【０００４】
【特許文献１】特開２００９−１３８５６９号公報
【特許文献２】特開２００８−２１５２１４号公報
【特許文献３】特開２００９−２５７２２２号公報
【発明の概要】
【発明が解決しようとする課題】
【０００５】
ところで、特許文献１の従来技術では、ガソリンとアルコールのそれぞれに対応して燃料タンクと燃料噴射弁を２つずつ用意し、これら２種類の燃料を所望の比率で混合させた混合気を形成するようにしている。しかしながら、この構成では、混合気を形成するシステムが大型で複雑なものとなる。また、各燃料タンク内に貯留された燃料の残量等を考慮しながら燃料噴射を行う必要が生じる。このため、従来技術では、燃料噴射系統の構成や制御が複雑化し、システムの信頼性が低下するという問題がある。
【０００６】
本発明は、上述のような課題を解決するためになされたもので、本発明の目的は、ＰＣＶ機構を利用して吸気系にアルコールを供給することにより、システムの構成や制御を簡略化し、信頼性を向上させることが可能な内燃機関を提供することにある。
【課題を解決するための手段】
【０００７】
第１の発明は、筒内にアルコール燃料を噴射する筒内噴射弁と、
クランクケース内のガスを吸気通路に還流させるＰＣＶ通路と、
前記ＰＣＶ通路に設けられた流量制御弁であって、前記ＰＣＶ通路を流れるガスの量を調整するＰＣＶバルブと、
前記ＰＣＶ通路を流れるガス中のアルコールを吸着する機能と吸着したアルコールを脱離させる機能とを有する吸着材であって、周囲の圧力雰囲気に応じて機能が切換わるアルコール吸着材と、
を備えることを特徴とする。
【０００８】
第２の発明によると、前記ＰＣＶバルブは、前記アルコール吸着材を内蔵した吸着材一体型のバルブにより構成している。
【０００９】
第３の発明によると、前記アルコール吸着材は、加圧状態において前記ガス中のアルコールを吸着し、吸着したアルコールを減圧状態において脱離させる機能を有し、かつ、前記アルコール吸着材を前記ＰＣＶバルブの閉弁時にも前記クランクケース内のガスと接触する位置に設ける構成としている。
【００１０】
第４の発明は、始動してから暖機が完了するまでの間に前記ＰＣＶバルブの開度を制限し、前記ガスの還流量を最低限に抑制する暖機前ＰＣＶ抑制手段と、
暖機が完了した状態において、前記アルコール吸着材に吸着されたアルコールを筒内に供給する必要があるか否かを、運転状態に基いて判定するアルコール要求判定手段と、
前記アルコール要求判定手段によりアルコールの供給が不要であると判定された場合に前記ＰＣＶバルブを閉弁し、アルコールの供給が必要であると判定された場合に前記ＰＣＶバルブを開弁するアルコール供給制御手段と、
を備える。
【００１１】
第５の発明によると、前記アルコール要求判定手段は、ノッキングが発生し易い運転領域において、アルコールの供給が必要であると判定する構成としている。
【００１２】
第６の発明によると、前記アルコール供給制御手段は、前記アルコール要求判定手段によりアルコールの供給が必要であると判定された場合に、ノッキングの強度に基いて前記ＰＣＶバルブの開度を制御する構成としている。
【００１３】
第７の発明によると、前記アルコール要求判定手段は、高負荷でのアイドル運転時にアルコールの供給が必要であると判定する構成としている。
【発明の効果】
【００１４】
第１の発明によれば、ＰＣＶ通路、ＰＣＶバルブ及びアルコール吸着材を組合わせることにより、ＰＣＶバルブを用いてアルコール吸着材に作用する負圧を制御することができる。これにより、ガス中に含まれるアルコールを所望のタイミングでアルコール吸着材に吸着させることができる。そして、吸着されたアルコールを必要に応じて吸着材から脱離させ、筒内に供給することができる。この結果、混合気のアルコール濃度を運転状態に応じて適切に制御することができる。従って、従来技術のように、ガソリンとアルコールの噴射系統をそれぞれ個別に用意しなくてもよいので、システムの構成や制御を簡略化し、信頼性を向上させることができる。
【００１５】
第２の発明によれば、アルコール吸着材を内蔵した吸着材一体型のＰＣＶバルブを用いることができる。これにより、システムの部品点数を削減し、システムをコンパクトに構成することができる。
【００１６】
第３の発明によれば、ＰＣＶバルブを全閉した場合には、クランクケース側の高い圧力をアルコール吸着材に作用させることができる。この状態では、ガス中のアルコールを吸着材に吸着させて蓄えることができる。また、ＰＣＶバルブを開弁した場合には、アルコール吸着材に吸気負圧を作用させつつ、ガスの流れを発生させることができる。これにより、吸着材からアルコールを脱離させ、このアルコールを筒内に供給することができる。
【００１７】
第４の発明によれば、暖機前ＰＣＶ抑制手段は、始動から暖機完了までの半暖機状態において、クランクケース内のガスを吸気系へと適度に還流させつつ、始動直後の空燃比を安定させることができる。アルコール供給制御手段は、筒内へのアルコール供給が不要な場合に、ＰＣＶバルブを閉弁することができる。また、アルコール供給が必要な場合には、ＰＣＶバルブを開弁することができる。これにより、混合気のアルコール濃度を適切に制御することができる。
【００１８】
第５の発明によれば、ノッキングが発生し易い運転領域では、混合気のアルコール濃度を上昇させ、ノッキングの発生を効果的に抑制することができる。また、ノッキングが発生した場合でも、その強度を低下させることができる。
【００１９】
第６の発明によれば、ノック強度に応じて筒内へのアルコールの供給量（混合気のアルコール濃度）を適切に制御し、必要最低限のアルコール供給量によってノッキングを的確に抑制することができる。
【００２０】
第７の発明によれば、燃費が悪化し易い高負荷でのアイドル運転時には、混合気のアルコール濃度が上昇させることができる。これにより、燃費の悪化を抑制し、車両の燃費性能を向上させることができる。
【図面の簡単な説明】
【００２１】
【図１】本発明の実施の形態１のシステム構成を説明するための全体構成図である。
【図２】本発明の実施の形態１おいて、ＥＣＵにより実行される制御のフローチャートである。
【発明を実施するための形態】
【００２２】
実施の形態１．
［実施の形態１の構成］
以下、図１及び図２を参照して、本発明の実施の形態１について説明する。図１は、本発明の実施の形態１のシステム構成を説明するための全体構成図である。本実施の形態のシステムは、例えばＦＦＶ（Flexible Fuel Vehicle）に搭載される内燃機関としてのエンジン１０を備えており、エンジン１０は、アルコールとガソリンが混合されたアルコール燃料を用いて作動する。エンジン１０の各気筒には、ピストン１２が設けられており、ピストン１２により燃焼室１４が画成されている。ピストン１２は、エンジンの出力軸であるクランク軸１６に連結されている。また、エンジン１０は、各気筒に吸入空気を吸込む吸気通路１８と、各気筒から排気ガスが排出される排気通路２０とを備えている。吸気通路１８は各気筒の吸気ポートに接続されており、排気通路２０は各気筒の排気ポートに接続されている。
【００２３】
また、吸気通路１８には、吸入空気量を検出するエアフローセンサ２２と、電子制御式のスロットルバルブ２４とが設けられている。スロットルバルブ２４は、アクセル開度等に基いてスロットルモータ２６により駆動され、吸入空気量を増減させる。一方、排気通路２０には、排気ガスを浄化する触媒２８が設けられている。また、各気筒には、燃焼室１４内（筒内）にアルコール燃料を噴射する燃料噴射弁３０と、筒内の混合気に点火する点火プラグ３２と、吸気ポートを筒内に対して開，閉する吸気バルブ３４と、排気ポートを筒内に対して開，閉する排気バルブ３６とが設けられている。
【００２４】
また、エンジン１０は、吸気通路１８とクランクケース３８との間に設けられたＰＣＶ機構を備えている。このＰＣＶ機構は、クランクケース３８内のブローバイガスを吸気通路１８に還流させるＰＣＶ通路４０と、ＰＣＶ通路４０に設けられたＰＣＶバルブ４２と、ＰＣＶバルブ４２に内蔵されたアルコール吸着材４４とを備えている。ここで、ＰＣＶ通路４０の上流部４０Ａはクランクケース３８に接続され、下流部４０Ｂは吸気通路１８に接続されている。
【００２５】
ＰＣＶバルブ４２は、例えば一般的に公知な電動式の流量制御弁により構成されている。具体的に述べると、ＰＣＶバルブ４２は、内部にガス流路が設けられたハウジングと、このハウジング内に変位可能に配置され、前記ガス流路を開，閉する弁体と、この弁体を閉弁方向に常時付勢する戻しばねと、前記弁体を電磁気的に吸引して開弁させるアクチュエータとを備えている。また、ハウジング内のガス流路は、ＰＣＶ通路４０の上流部４０Ａと下流部４０Ｂとの間に接続され、ＰＣＶ通路４０の一部を構成している。
【００２６】
そして、ＰＣＶバルブ４２の弁体は、アクチュエータに入力される制御信号に応じて全閉位置と全開位置との間で任意の開度に駆動され、この開度に応じて前記ガス通路の流路面積が変化する。これにより、ＰＣＶバルブ４２は、後述のＥＣＵ６０から入力される制御信号に応じて、ＰＣＶ通路４０を流れるガスの量を調整するように構成されている。また、ＰＣＶバルブ４２は、ＰＣＶ通路４０の上流部４０Ａ及びアルコール吸着材４４に作用する吸気負圧を調整する。なお、図１では、ＰＣＶバルブ４２とアルコール吸着材４４を判り易くするために、これらを他の構造物よりも拡大して記載している。
【００２７】
ＰＣＶバルブ４２は、アルコール吸着材４４を内蔵した吸着材一体型のバルブとして構成されている。アルコール吸着材４４は、ＰＣＶ通路４０を流れるブローバイガス中のアルコール蒸気を吸着するもので、アルコールに対して高い吸着性能を有する一般的に公知な吸着材料により構成されている。また、アルコール吸着材４４は、周囲の圧力雰囲気に応じてアルコールの吸着及び脱離を行う機能を有している。具体的に述べると、アルコール吸着材４４は、周囲の圧力が基準圧力（例えば大気圧）より高い加圧状態において、ガス中のアルコールを吸着する。また、周囲の圧力が基準圧力よりも低い減圧状態では、アルコール吸着材４４に吸着されていたアルコールが脱離する構成となっている。
【００２８】
また、アルコール吸着材４４は、ＰＣＶバルブ４２のハウジング内で弁体よりもクランクケース３８側の位置に配設されている。この位置は、ＰＣＶバルブ４２が全閉した状態でも、ＰＣＶ通路４０の上流部４０Ａを介してクランクケース３８内の空間と連通する位置である。このため、アルコール吸着材４４は、ＰＣＶバルブ４２の全閉時にも、クランクケース３８内のブローバイガスと接触するようになっている。なお、本実施の形態では、アルコール吸着材４４をＰＣＶバルブ４２の内部に配置する構成としたが、本発明はこれに限らず、アルコール吸着材をＰＣＶバルブ４２とは別部品として形成し、このアルコール吸着材をＰＣＶ通路４０の上流部４０Ａに設ける構成としてもよい。
【００２９】
さらに、本実施の形態のシステムは、図１に示すように、クランク角センサ４６、水温センサ４８、ノックセンサ５０等を含むセンサ系統と、エンジン１０の運転状態を制御するＥＣＵ(Electronic Control Unit)６０とを備えている。まず、センサ系統について説明すると、クランク角センサ４６は、クランク軸１６の回転に同期した信号を出力するもので、ＥＣＵ６０は、この出力に基いて機関回転数及びクランク角を検出することができる。また、水温センサ４８は、エンジンの機関温度としてエンジン冷却水の温度（エンジン水温）を検出するもので、ノックセンサ５０は、エンジン本体の振動等によりノッキングの発生を検出する。
【００３０】
センサ系統には、前記センサ２２，４６〜５０に加えて、エンジン１０及びこれを搭載した車両の制御に必要な各種のセンサ（例えばアクセル開度を検出するアクセル開度センサ、排気空燃比を検出する空燃比センサ、燃料中のアルコール濃度を検出する燃料性状センサ等）が含まれており、これらのセンサはＥＣＵ６０の入力側に接続されている。また、ＥＣＵ６０には、例えばヘッドライトや空調装置の作動状態、自動変速機の変速レンジ等が入力され、これらの車載機器の作動状態を負荷として検出するように構成されている。一方、ＥＣＵ６０の出力側には、スロットルモータ２６、燃料噴射弁３０、点火プラグ３２、ＰＣＶバルブ４２等を含む各種のアクチュエータが接続されている。
【００３１】
そして、ＥＣＵ６０は、エンジンの運転情報をセンサ系統により検出しつつ、各アクチュエータを駆動し、運転制御を実行する。具体的に述べると、クランク角センサ４６の出力に基いてエンジン回転数とクランク角とを検出し、エアフローセンサ２２の出力に基いて吸入空気量を算出する。また、吸入空気量、エンジン回転数等に基いてエンジンの負荷（負荷率）を算出し、クランク角に基いて燃料噴射時期等を決定し、吸入空気量、負荷等に基いて燃料噴射量を算出する。そして、燃料噴射時期が到来したときに燃料噴射弁３０を駆動し、その後に点火プラグ３２を駆動する。これにより、筒内で混合気を燃焼させ、エンジンを運転することができる。また、ＥＣＵ６０は、運転状態等に応じてＰＣＶバルブ４２を駆動し、その開度に基いてＰＣＶ通路４０の上流部４０Ａ及びアルコール吸着材４４に作用する負圧を制御する。これにより、ＥＣＵ６０は、以下に述べる制御を実行するものである。
【００３２】
[実施の形態１の動作]
本実施の形態では、吸着材一体型のＰＣＶバルブ４２により通常のＰＣＶ制御を実行しつつ、ブローバイガス中のアルコール蒸気をアルコール吸着材４４に吸着させる。そして、エンジンの暖機が完了した状態において、筒内へのアルコール供給が必要な場合には、ブローバイガスの流れを利用して、吸着材４４に吸着されたアルコールを筒内に供給する構成としている。
【００３３】
（ＰＣＶ制御）
エンジンの運転中には、筒内に噴射された燃料の一部が筒内壁面とピストン１２との摺動部を介してクランクケース３８内に侵入し、この燃料が潤滑油中に混入する現象（オイル希釈）が生じ易い。特に、筒内噴射型のエンジン１０では、噴射燃料が筒内壁面に付着し易いので、オイル希釈が顕著に発生する。オイル希釈が生じると、潤滑油の劣化が進行し易くなる。このため、ＰＣＶ制御では、クランクケース３８内に侵入した燃料を含むブローバイガスを吸気系に還流させ、オイル希釈を抑制する。具体的には、例えばエンジンの運転状態に基いてオイル希釈の度合いが大きいと推定される場合に、ＰＣＶバルブ４２を開弁し、クランクケース３８側に作用する吸気負圧を制御することにより、ブローバイガスをＰＣＶ通路４０から吸気通路１８に吸引する。このとき、ガスの還流量は、燃焼制御に大きな影響を与えないように、ＰＣＶバルブ４２の開度に基いて適切に制御される。
【００３４】
ＰＣＶ制御の具体例を挙げると、本実施の形態では、例えばエンジンが冷間始動されてから暖機が完了するまでの間に、ＰＣＶバルブ４２の開度を規定の小開度に制限し、ブローバイガスの還流量を最低限に抑制する。冷間始動から暖機完了までの間は、エンジンが半暖機状態であり、クランクケース３８内の温度が上昇するのに伴ってブローバイガスが急速に発生するので、このガスを吸気系に還流させるのが好ましい。その一方で、半暖機状態では、まだ燃焼が完全に安定していないので、ブローバイガスにより空燃比が乱れて排気エミッションが悪化するのを回避したい。このため、上述した規定の小開度は、空燃比を乱さない範囲で、半暖機時に必要な最低限の還流量を確保するように設定される。従って、上記制御によれば、始動から暖機完了までの半暖機状態において、ブローバイガスを適度に還流させつつ、始動時の空燃比制御を安定的に行うことができる。
【００３５】
（アルコール供給制御）
この制御は、暖機完了後にＰＣＶ制御と並行して行われるもので、筒内での燃焼時にアルコールが必要となった場合に、アルコール吸着材４４に吸着されたアルコールを筒内に供給するものである。アルコール吸着材４４は、前述したように、加圧状態においてブローバイガス中のアルコール蒸気を吸着し、吸着したアルコールを減圧状態において脱離させる機能を有している。このため、アルコール供給制御では、まず、例えば筒内へのアルコール供給が不要となり、かつ、ＰＣＶ制御を中断しても問題ない運転状態において、ＰＣＶバルブ４２を全閉する。ＰＣＶバルブ４２を全閉した状態では、暖機の完了により上昇したクランクケース３８内の高い圧力がＰＣＶ通路４０を介してアルコール吸着材４４に作用する。この結果、アルコール吸着材４４は、加圧雰囲気下でＰＣＶ通路４０内のブローバイガスと接触するので、ガス中のアルコール蒸気を吸着するようになる。従って、筒内へのアルコール供給が不要な場合には、ＰＣＶバルブ４２を全閉し、ブローバイガス中のアルコールを吸着材４４に蓄えることができる。
【００３６】
また、アルコール供給制御では、例えば筒内へのアルコール供給が必要となり、かつ、ＰＣＶ制御を実行しても問題ない運転状態において、ＰＣＶバルブ４２を開弁する。ＰＣＶバルブ４２を開弁した状態では、ＰＣＶ通路４０内に吸気負圧が作用し、ブローバイガスの流れが生じる。この結果、アルコール吸着材４４に蓄えられていたアルコールは、減圧雰囲気下で吸着材４４から脱離し、ブローバイガス中に放出される。そして、放出されたアルコールは、ブローバイガスと共に吸気通路１８に流入し、筒内に供給されて燃焼に寄与する。従って、筒内へのアルコール供給が必要な場合には、ＰＣＶバルブ４２を開弁し、吸着材４４からアルコールを筒内に供給することができる。そして、アルコールの供給時には、ＰＣＶバルブ４２の開度に基いてアルコールの供給量（流量）を調整し、混合気のアルコール濃度を適切に制御することができる。
【００３７】
次に、筒内へのアルコール供給が必要となる場合の具体的な例について説明する。本実施の形態では、例えばノッキングが発生し易い運転領域（ノック領域）での運転が行われた場合や、高負荷でのアイドル運転が行われた場合に、筒内へのアルコール供給が必要であると判定する。まず、ノック領域での運転について説明すると、ＥＣＵ６０には、例えばエンジン回転数と負荷とに基いてノック領域を判定するためのマップデータが予め記憶されている。ノック領域の一例を挙げれば、高負荷や高出力での運転領域である。そして、ＥＣＵ６０は、前記マップデータに基いてノック領域での運転を検出した場合に、筒内へのアルコール供給が必要であると判定し、ＰＣＶバルブ４２を開弁する。
【００３８】
ここで、筒内で混合気が燃焼するときの燃焼温度や燃焼速度は、混合気のアルコール濃度が高いほど低下する。従って、ノック領域において、アルコール吸着材４４から筒内にアルコールを供給すれば、混合気のアルコール濃度を上昇させ、ノッキングの発生を効果的に抑制することができる。また、ノッキングが発生した場合でも、その強度を低下させることができる。また、ＥＣＵ６０は、ノック領域において、ノックセンサ５０の出力に基いてノッキングの強度（ノック強度）を検出する。そして、ノック強度が大きいほど、ＰＣＶバルブ４２の開度を大きくする。この制御によれば、ノック強度に応じてアルコールの供給量（混合気のアルコール濃度）を適切に制御し、必要最低限のアルコール供給量によってノッキングを的確に抑制することができる。
【００３９】
なお、本実施の形態では、ノックセンサ５０により検出したノック強度に基いて、ＰＣＶバルブ４２の開度を制御する場合を例示した。しかし、本発明はこれに限らず、例えばノックセンサ５０を使用せずに、運転領域に基いてＰＣＶバルブ４２の開度を制御する構成としてもよい。そして、この場合には、運転領域とノック強度との間に相関があることを利用して、例えば運転領域に基いてＰＣＶバルブ４２の開度を決定するマップデータを使用すればよい。
【００４０】
一方、アルコール供給制御では、高負荷でのアイドル運転が行われた場合に、筒内へのアルコール供給が必要であると判定し、ＰＣＶバルブ４２を開弁（全開）する。高負荷でのアイドル運転とは、一例を挙げれば、ヘッドライドや空調装置を作動させたり、自動変速機の変速レンジをＤレンジに切換えた状態でのアイドル運転である。このような運転状態では、エンジンの燃費が悪化し易いので、混合気のアルコール濃度が上昇させ、燃費の悪化を抑制する。これにより、車両の燃費性能を向上させることができる。
【００４１】
［実施の形態１を実現するための具体的な処理］
図２は、本発明の実施の形態１において、ＥＣＵにより実行される制御のフローチャートである。この図に示すルーチンは、エンジンの運転中に繰返し実行されるものとする。図２に示すルーチンでは、まず、センサ系統の出力に基いてエンジンの運転情報の読込み及び算出を実行する（ステップ１００）。この運転情報には、少なくともエンジン回転数、クランク角、吸入空気量、エンジン水温、負荷、ノッキングの有無及び強度等が含まれている。
【００４２】
次の処理では、エンジンの暖機が完了したか否かを判定する（ステップ１０２）。具体的には、例えばエンジン水温が５０℃程度の判定温度よりも高いか否かを判定する。この判定が不成立の場合には、半暖機状態であるから、ＰＣＶバルブ４２の開度を規定の小さな開度に制御し、そのまま終了する（ステップ１０４）。一方、ステップ１０２の判定が成立した場合には、暖機が完了しているので、前述したようにエンジン回転数と負荷とに基いてマップデータを参照し、現在の運転領域がノック領域であるか否かを判定する（ステップ１０６）。
【００４３】
そして、現在の運転領域がノック領域である場合には、ＰＣＶバルブ４２を開弁しつつ、その開度をノック強度に基いて制御する（ステップ１０８）。これにより、ＰＣＶバルブ４２の開度に応じた量のアルコールがアルコール吸着材４４から吸気通路１８に供給される。また、現在の運転領域が非ノック領域である場合には、ＰＣＶバルブ４２を全閉する（ステップ１１０）。これにより、アルコール吸着材４４には、ブローバイガス中のアルコールが吸着される。なお、ステップ１１０において、ＰＣＶ制御によりＰＣＶバルブ４２の開弁要求が発生した場合には、必要に応じてＰＣＶバルブ４２を開弁してもよい。
【００４４】
次の処理では、高負荷でのアイドル運転が行われているか否かを判定する（ステップ１１２）。そして、この判定が成立した場合には、ＰＣＶバルブ４２を全開し、筒内にアルコールを供給する（ステップ１１４）。また、ステップ１１４の判定が不成立の場合には、ＰＣＶバルブ４２を全閉し、アルコール吸着材４４にアルコールを吸着させる（ステップ１１６）。この場合にも、必要に応じてＰＣＶバルブ４２を開弁してもよい。
【００４５】
以上詳述した通り、本実施の形態によれば、ＰＣＶ機構とアルコール吸着材４４とを組合わせることにより、ＰＣＶバルブ４２を用いてアルコール吸着材４４に作用する負圧を制御することができる。これにより、ブローバイガス中に含まれるアルコールを所望のタイミングでアルコール吸着材４４に吸着させることができる。そして、吸着されたアルコールを必要に応じて吸着材４４から脱離させ、筒内に供給することができる。この結果、混合気のアルコール濃度を運転状態に応じて適切に制御し、高出力運転や経時劣化によるノッキングの発生を抑制したり、車両の燃費性能を向上させることができる。
【００４６】
従って、従来技術のように、ガソリンとアルコールの噴射系統をそれぞれ個別に用意しなくても、混合気のアルコール濃度を制御することができるので、システムの構成や制御を簡略化し、信頼性を向上させることができる。特に、アルコール吸着材４４をＰＣＶバルブ４２に内蔵することにより、システムの部品点数を削減し、システムをコンパクトに構成することができる。
【００４７】
なお、前記実施の形態では、図２中のステップ１０４が請求項４における暖機前ＰＣＶ抑制手段の具体例を示し、ステップ１０６，１１２がアルコール要求判定手段の具体例を示し、ステップ１０８，１１０，１１４，１１６がアルコール供給制御手段の具体例を示している。
【符号の説明】
【００４８】
１０  エンジン
１２  ピストン
１４  燃焼室
１６  クランク軸
１８  吸気通路
２０  排気通路
２２  エアフローセンサ
２４  スロットルバルブ
２６  スロットルモータ
２８  触媒
３０  燃料噴射弁
３２  点火プラグ
３４  吸気バルブ
３６  排気バルブ
３８  クランクケース
４０  ＰＣＶ通路
４０Ａ  上流部
４０Ｂ  下流部
４２  ＰＣＶバルブ
４４  アルコール吸着材
４６  クランク角センサ
４８  水温センサ
５０  ノックセンサ
６０  ＥＣＵ
【図１】
2011226349.tif 000003
【図２】
2011226349.tif 000004